(57)【要約】【課題】作業効率の向上したファイル生成装置等を提供する。【解決手段】同一のコンテンツの表示データから用途に応じて作成された複数の用途別の表示データを取得し（Ｓ１０）、各用途別の表示データに対して階層化するための階層順位を設定し（Ｓ１１）、階層順位に従い、各用途別の表示データを階層化したファイルを生成する（Ｓ１３）。【選択図】図１０
2019168946.tif 000002
【特許請求の範囲】
【請求項１】
同一のコンテンツの表示データから用途に応じて作成された複数の用途別の表示データを取得する用途別表示データ取得手段と、
各前記用途別の表示データに対して階層化するための階層順位を設定する階層順位設定手段と、
前記階層順位に従い、各前記用途別の表示データを階層化したファイルを生成するファイル生成手段と、
を備えることを特徴とするファイル生成装置。
【請求項２】
請求項１に記載のファイル生成装置において、
前記用途別表示データ取得手段が、前記コンテンツの表示データの解像度と異なる解像度の前記用途別の表示データを取得することを特徴とするファイル生成装置。
【請求項３】
請求項１または請求項２に記載のファイル生成装置において、
前記用途別表示データ取得手段が、前記用途が印刷である印刷用の表示データと、前記印刷に関する情報が記載された印刷情報用の表示データと、を取得することを特徴とするファイル生成装置。
【請求項４】
請求項１から請求項３のいずれか１項に記載のファイル生成装置において、
前記同一のコンテンツの表示データから、前記用途に応じて複数の用途別の表示データを作成する用途別表示データ作成手段を更に備えたことを特徴とするファイル生成装置。
【請求項５】
請求項４に記載のファイル生成装置において、
前記用途別表示データ作成手段が、前記同一のコンテンツの表示データから前記用途別の表示データへの、各前記用途に応じた変換の仕様に基づき、前記用途に応じて複数の用途別の表示データを作成することを特徴とするファイル生成装置。
【請求項６】
用途別表示データ取得手段が、同一のコンテンツの表示データから用途に応じて作成された複数の用途別の表示データを取得する用途別表示データ取得ステップと、
階層順位設定手段が、各前記用途別の表示データに対して階層化するための階層順位を設定する階層順位設定ステップと、
ファイル生成手段が、前記階層順位に従い、各前記用途別の表示データを階層化したファイルを生成するファイル生成ステップと、
を含むことを特徴とするファイル生成方法。
【請求項７】
コンピュータを、
同一のコンテンツの表示データから用途に応じて作成された複数の用途別の表示データを取得する用途別表示データ取得手段、
各前記用途別の表示データに対して階層化するための階層順位を設定する階層順位設定手段、および、
前記階層順位に従い、各前記用途別の表示データを階層化したファイルを生成するファイル生成手段として機能させることを特徴とするファイル生成装置用プログラム。
【発明の詳細な説明】
【技術分野】
【０００１】
本発明は、階層構造を有するファイルを生成するファイル生成装置、ファイル生成方法、および、ファイル生成装置用プログラムに関する。
【背景技術】
【０００２】
同じコンテンツであっても、用途に応じた形態の製品を生成する必要がある。用途に適した形態に加工する際に、ユーザの利便性を高める文書処理装置がある。例えば、特許文献１には、文書を担う原画像のレイヤーに対し、別レイヤーとして文書の文書情報と関連する付加情報を挿入してマルチレイヤー機能を有するファイルを作成する情報処理装置が開示されている。
【先行技術文献】
【特許文献】
【０００３】
【特許文献１】特開２０１１−１５０５９９号公報
【発明の概要】
【発明が解決しようとする課題】
【０００４】
ところで、ＤＴＰ（Desk Top Publishing）の分野では、印刷用に面付けするページデータの他にＷｅｂチラシ用データ、電子書籍用データ、印刷の検査用のデータ等、多様な用途に合ったデータを作成して、これら複数のデータを納品まで管理する必要がある。
【０００５】
しかしながら、特許文献１では、別レイヤーに元データの付加情報を挿入して加工の際の利便性は高めているが、用途毎にデータが生成されてしまい、実際のＤＴＰの分野では、作業効率の向上を十分に上げることができなかった。
【０００６】
そこで、本発明は上記の問題点等に鑑みて為されたもので、その課題の一例は、作業効率の向上したファイル生成装置等を提供することを目的とする。
【課題を解決するための手段】
【０００７】
上記の課題を解決するために、請求項１に記載の発明は、同一のコンテンツの表示データから用途に応じて作成された複数の用途別の表示データを取得する用途別表示データ取得手段と、各前記用途別の表示データに対して階層化するための階層順位を設定する階層順位設定手段と、前記階層順位に従い、各前記用途別の表示データを階層化したファイルを生成するファイル生成手段と、を備えることを特徴とする。
【０００８】
また、請求項２に記載の発明は、請求項１に記載のファイル生成装置において、前記用途別表示データ取得手段が、前記コンテンツの表示データの解像度と異なる解像度の前記用途別の表示データを取得することを特徴とする。
【０００９】
また、請求項３に記載の発明は、請求項１または請求項２に記載のファイル生成装置において、前記用途別表示データ取得手段が、前記用途が印刷である印刷用の表示データと、前記印刷に関する情報が記載された印刷情報用の表示データと、を取得することを特徴とする。
【００１０】
また、請求項４に記載の発明は、請求項１から請求項３のいずれか１項に記載のファイル生成装置において、前記同一のコンテンツの表示データから、前記用途に応じて複数の用途別の表示データを作成する用途別表示データ作成手段を更に備えたことを特徴とする。
【００１１】
また、請求項５に記載の発明は、請求項４に記載のファイル生成装置において、前記用途別表示データ作成手段が、前記同一のコンテンツの表示データから前記用途別の表示データへの、各前記用途に応じた変換の仕様に基づき、前記用途に応じて複数の用途別の表示データを作成することを特徴とする。
【００１２】
また、請求項６に記載の発明は、用途別表示データ取得手段が、同一のコンテンツの表示データから用途に応じて作成された複数の用途別の表示データを取得する用途別表示データ取得ステップと、階層順位設定手段が、各前記用途別の表示データに対して階層化するための階層順位を設定する階層順位設定ステップと、ファイル生成手段が、前記階層順位に従い、各前記用途別の表示データを階層化したファイルを生成するファイル生成ステップと、を含むことを特徴とする。
【００１３】
また、請求項７に記載の発明は、コンピュータを、同一のコンテンツの表示データから用途に応じて作成された複数の用途別の表示データを取得する用途別表示データ取得手段、各前記用途別の表示データに対して階層化するための階層順位を設定する階層順位設定手段、および、前記階層順位に従い、各前記用途別の表示データを階層化したファイルを生成するファイル生成手段として機能させることを特徴とする。
【発明の効果】
【００１４】
本発明によれば、同一のコンテンツから用途別に生成された表示データが、階層化されたファイルとして１つにまとまっているので、散逸することなく、階層を指定するだけで、用途別の表示データを扱えるので、作業効率が向上する。
【図面の簡単な説明】
【００１５】
【図１】本発明の実施形態に係るファイル生成システムの概要構成例を示す模式図である。
【図２】本発明の実施形態に係るファイル生成システムのデータの流れの一例を示す模式図である。
【図３】図１のファイル生成装置の概要構成の一例を示すブロック図である。
【図４】図１のファイル生成装置の用途別の表示データの出力の動作例を示すフローチャートである。
【図５】用途別の表示データの設定の画面の一例を示す模式図である。
【図６】生成された用途別の表示データの一例を示す模式図である。
【図７】生成された用途別の表示データの一例を示す模式図である。
【図８】生成された用途別の表示データの一例を示す模式図である。
【図９】生成された用途別の表示データの一例を示す模式図である。
【図１０】図１のファイル生成装置のレイヤー化されたファイルの出力の動作例を示すフローチャートである。
【図１１】レイヤー化ファイルの設定の画面の一例を示す模式図である。
【発明を実施するための形態】
【００１６】
以下、図面を参照して本発明の実施形態について説明する。なお、以下に説明する実施の形態は、ファイル生成装置に対して本発明を適用した場合の実施形態である。
【００１７】
［１．ファイル生成システムの構成および機能概要］
まず、本発明の１実施形態に係るファイル生成装置の構成および概要機能について、図１および図２を用いて説明する。
【００１８】
図１は、本発明の実施形態に係るファイル生成システムの概要構成例を示す模式図である。図２は、本発明の実施形態に係るファイル生成システムのデータの流れの一例を示す模式図である。
【００１９】
図１に示すように、ファイル生成システム１は、コンテンツの表示データからファイルを生成するファイル生成装置１０と、印刷物等の編集を行うＤＴＰ装置２０と、刷版または印刷を制御する刷版・印刷サーバ装置３０と、電子書籍を作成する電子書籍サーバ装置４０と、を備える。ここで、コンテンツの表示データとして、ＤＴＰ装置２０において組版作業で作成された表示データ、顧客から持ち込まれた印刷データ等が挙がられる。
【００２０】
ファイル生成装置１０は、ＤＴＰ装置２０が作成した複数の用途別の表示データを取得し、用途別の表示データを階層化したファイルを生成する。ファイル生成装置１０に、複数の端末装置（図示せず）が接続され、端末装置を介して、作業が行われてもよい。ここで、用途別の一例として、高解像度用、低解像度用、下版用、検査用、アクセサリ用、トリミング用、電子書籍用、Ｗｅｂ用等が挙げられる。高解像度用および下版用、低解像度用および検査用、トリミング用および電子書籍用が同じ用途でもよい。階層化したファイルの形式は、例えば、レイヤー付きPDF（Portable Document Format）のように、レイヤー機能を有するファイルである。
【００２１】
ＤＴＰ装置２０は、書籍、チラシ等の製造するために必要な、入稿された画像データ、テキストデータ等から、ページ単位のコンテンツを作成する。ＤＴＰ装置２０に、複数の端末装置（図示せず）が接続され、端末装置を介して、組版の作業が行われてもよい。
【００２２】
刷版・印刷サーバ装置３０は、ファイル生成装置１０またはＤＴＰ装置２０から受信したデータから、刷版データ、デジタル印刷データ等を生成する。刷版・印刷サーバ装置３０は、刷版出力用のサーバとデジタル印刷用のサーバとのように、別々のサーバでもよい。刷版・印刷サーバ装置３０は、製版データを出力してもよい。
【００２３】
刷版・印刷サーバ装置３０は、刷版出力用または／およびデジタル印刷用の機械３５が接続されている。機械３５が刷版を出力したり、印刷物を出力したりする。機械３５は、刷版機と印刷機との２台でもよい。デジタル印刷の場合、機械３５は、インクジェットプリンタ等である。
【００２４】
刷版・印刷サーバ装置３０において、刷版や印刷物の検査が行われてもよい。刷版・印刷サーバ装置３０に、複数の端末装置（図示せず）が接続され、端末装置を介して、作業が行われてもよい。
【００２５】
電子書籍サーバ装置４０は、ファイル生成装置１０またはＤＴＰ装置２０から受信したデータから、電子書籍用のデータを生成する。電子書籍サーバ装置４０において、生成された電子書籍の検査が行われてもよい。電子書籍サーバ装置４０に、複数の端末装置（図示せず）が接続され、端末装置を介して、作業が行われてもよい。
【００２６】
ファイル生成装置１０、ＤＴＰ装置２０、刷版・印刷サーバ装置３０および、電子書籍サーバ装置４０は、ネットワーク３を介して、例えば、通信プロトコルにＴＣＰ／ＩＰ等を用いて相互にデータの送受信が可能になっている。なお、ネットワーク３は、例えば、ローカルエリアネットワーク、インターネット、専用通信回線（例えば、ＣＡＴＶ（Community Antenna Television）回線）、移動体通信網、およびゲートウェイ等により構築されている。なお、端末装置が、ネットワーク３を介して、ファイル生成装置１０、ＤＴＰ装置２０、および、刷版・印刷サーバ装置３０に接続していてもよい。
【００２７】
次に、図２を用いて、ファイル生成システムのデータの流れの一例を説明する。
【００２８】
図２に示すように、入稿された画像データ、テキストデータ等をＤＴＰ装置２０が取得して、ＤＴＰ装置２０において、ＤＴＰ作業が行われる。ＤＴＰ装置２０において、同一のコンテンツの一例である組版作業で作成された表示データが生成される。
【００２９】
次に、ファイル生成装置１０またはＤＴＰ装置２０は、ページ毎に高解像度ページデータ、低解像度ページデータ、トリミングデータ、アクセサリページデータ等の用途別の表示データを生成して、所定のデータベース等の記憶部等に記憶される。
【００３０】
次に、ファイル生成装置１０が、ページ毎に高解像度ページデータ、低解像度ページデータ、トリミングデータ、アクセサリページデータ等の用途別の表示データを取得して、ファイル生成装置１０において、階層化作業として、階層順位が設定されて、階層化ファイルを生成して、所定のデータベース等の記憶部等に記憶される。
【００３１】
（１．２  ファイル生成装置１０の構成および機能）
次に、ファイル生成装置１０の構成および機能について、図３を用いて説明する。
【００３２】
図３は、ファイル生成装置１０の概要構成の一例を示すブロック図である。
【００３３】
図３に示すように、コンピュータであるファイル生成装置１０は、通信部１１と、記憶部１２と、表示部１３と、操作部１４と、入出力インターフェース部１５と、制御部１６とを備えている。そして、制御部１６と入出力インターフェース部１５とは、システムバス１７を介して接続されている。
【００３４】
通信部１１は、ネットワークを介して他のサーバとのデータの送受信を行う。
【００３５】
記憶部１２は、例えば、ハードディスクドライブ等からなり、オペレーティングシステムのプログラム、ファイル生成のプログラム、画像データ等を記憶する。なお、ファイル生成装置１０から取り外し可能なＵＳＢメモリ等の外部記憶部が、各種のデータを記憶しておいてもよい。
【００３６】
表示部１３は、例えば、液晶表示素子または有機ＥＬ素子等によって構成されている。表示部１３には、レイヤー化（階層化）ファイルの設定の画面等が表示される。
【００３７】
操作部１４は、例えば、キーボードおよびマウス等によって構成されている。
【００３８】
入出力インターフェース部１５は、通信部１１および記憶部１２と制御部１６とのインターフェースである。
【００３９】
制御部１６は、例えば、ＣＰＵ（Central Processing Unit）１６ａと、ＲＯＭ（Read Only Memory）１６ｂと、ＲＡＭ（Random Access Memory）１６ｃとを有する。制御部１６は、ＣＰＵ１６ａが、ＲＯＭ１６ｂや、ＲＡＭ１６ｃや、記憶部１２に記憶された各種プログラムを読み出して実行する。なお、これらのプログラムを記憶した記録媒体等を制御部１６が読み出し実行してもよい。
【００４０】
［２．ファイル生成システムの動作］
次に、本発明の１実施形態に係るファイル生成システム１の動作について図を用いて説明する。
【００４１】
（２．１  用途別の表示データの出力の動作例）
まず、ファイル生成装置１０における用途別の表示データの出力の動作例について、図４から図９を用いて説明する。なお、下記の動作は、ファイル生成装置１０の代わりに、ＤＴＰ装置２０が、組版データを作成後に、行ってもよい。
【００４２】
図４は、ファイル生成装置１０の用途別の表示データの出力の動作例を示すフローチャートである。図５は、用途別の表示データの設定の画面の一例を示す模式図である。図６から図９は、生成された用途別の表示データの一例を示す模式図である。
【００４３】
ＤＴＰ装置２０において、入稿された画像データ、テキストデータ等から、組版の作業が行われ、組版作業で作成された表示データが、ＤＴＰ装置２０の記憶部等に記憶される。
【００４４】
図４に示すように、ファイル生成装置１０は、表示データを取得する（ステップＳ１）。具体的には、ファイル生成装置１０の制御部１６は、組版作業で作成された表示データを、ＤＴＰ装置２０の記憶部等から取得する。
【００４５】
次に、ファイル生成装置１０は、用途を設定する（ステップＳ２）。具体的には、制御部１６は、図５に示すように、用途に応じた変換の仕様の一例である用途の設定の画面５０を表示部１３に表示する。高解像度のデータが必要な下版用、検査に必要な低解像度用、トリミングが必要な電子書籍用、アクセサリ用等の用途の項目が、用途設定欄５１で、例えば、プルダウンで設定できるようになっている。用途設定欄５１は、追加できる。
【００４６】
ファイル生成装置１０は、用途の設定の画面５０から、設定された用途を取得する。
【００４７】
次に、ファイル生成装置１０は、用途別のパラメータを表示する（ステップＳ３）。具体的には、制御部１６が、設定された用途に基づき、記憶部１２を参照して、用途に対する、圧縮、トンボ、領域、色分解等のパラメータのデフォルトの値を、表示部１３の画面５０のパラメータ設定欄５２に表示する。ここで、トンボとは、断裁する位置を示すマークである。色分解の項目として、色変換無しの他に、例えば、ＣＭＹＫ（シアン、マゼンタ、イエロー、キープレート）からＲＧＢ（赤、緑、青）への色変換、ＲＧＢからＣＭＹＫへの色変換、ゴールドやシルバー等の特色の疑似色（ＣＭＹＫ）化、等が挙げられる。
【００４８】
パラメータの値に変更がある場合、パラメータ設定欄５２のプルダウンメニューから選択したり、直接値を入力したりする。
【００４９】
次に、ファイル生成装置１０は、用途別のパラメータを決定する（ステップＳ４）。具体的には、制御部１６が、書き出しボタン５３の入力を受け付け、用途別のパラメータを決定する。
【００５０】
次に、ファイル生成装置１０は、用途別の表示データを出力する（ステップＳ５）。具体的には、制御部１６が、決定されたパラメータに従って、用途別にそれぞれ、用途別の表示データを出力する。
【００５１】
例えば、“下版用”として、制御部１６が、“ダウンサンプリングしない”高解像度の表示データをそのものに、余白等の領域を加え、トンボや、使われるインクの色を示す色玉等の表示を入れて、色変換なしに、図６に示すように、下版用の表示データの１ページ分を生成する。なお、下版用の表示データは、組版作業で作成された表示データ自体でもよい。
【００５２】
また、“電子書籍用”として、制御部１６が、“ダウンサンプリング（150ppi）”解像度を多少落とし、余白等の領域なし、“トンボ”の表示がなし、色変換なしに、図７に示すように、電子書籍用の表示データの１ページ分を生成する。
【００５３】
また、“アクセサリ用”として、制御部１６が、“ダウンサンプリングしない”高解像度の表示データをそのものに、余白等の領域を加え、トンボや色玉等の表示を入れて、色変換なしの表示データに、さらに、縦横の寸法、印刷の向き、ページ数等のアクセサリ情報を重畳して、図８に示すように、アクセサリ用の表示データの１ページ分を生成する。アクセサリ情報は、印刷に関する情報の一例である。高解像度の表示データをそのものの代わりに、低解像度の表示データに、アクセサリ情報を重畳してもよい。
【００５４】
また、“検査用”として、制御部１６が、“ダウンサンプリング（150ppi）”解像度を落とした表示データに、余白等の領域を加え、トンボや色玉等の表示を入れて、色変換なしに、図９に示すように、検査用の表示データの１ページ分を生成する。なお、“検査用”として、図８のようなアクセサリ情報が重畳された表示データでもよい。また、用途が“検査用”として、図８の表示データおよび図９の表示データのように複数生成してもよい。
【００５５】
このように、ファイル生成装置１０は、前記同一のコンテンツの表示データから、前記用途に応じて複数の用途別の表示データを作成する用途別表示データ作成手段の一例として機能する。ファイル生成装置１０は、前記同一のコンテンツの表示データから前記用途別の表示データへの、各前記用途に応じた変換の仕様に基づき、前記用途に応じて複数の用途別の表示データを作成する用途別表示データ作成手段の一例として機能する。
【００５６】
制御部１６が、生成した用途別の各表示データにファイル名を付けて出力して、ファイル生成装置１０の記憶部１２等に記憶する。例えば、下版用のファイル名を“○○/△△.pdf”、電子書籍用のファイル名を“○○/△◇.pdf”、検査用のファイル名を“○○/◇◇.pdf”として、同じディレクトリに、各表示データが記憶される。
【００５７】
（２．２  レイヤー化されたファイルの出力の動作例）
次に、レイアウト処理のサブルーチンについて、図１０および図１１を用いて説明する。
【００５８】
図１０は、ファイル生成装置１０のレイヤー化されたファイルの出力の動作例を示すフローチャートである。図１１は、レイヤー化ファイルの設定の画面の一例を示す模式図である。
【００５９】
図１０に示すように、ファイル生成装置１０は、用途別の表示データを取得する（ステップＳ１０）。具体的には、制御部１６は、ファイル生成装置１０の記憶部１２等から、生成された用途別の各表示データを取得する。例えば、図１１に示すように、制御部１６が、画面６０を表示部１３に表示してよい。ボタン６１により、ファイルを選択して生成された用途別の各表示データが取得されるようにしてもよい。レイヤー名“下版”の行のファイル名のファイルをボタン６１により、選択すると、印刷情報用の表示データとして、下版用の高解像度の表示データが取得される。レイヤー名“電子書籍”の行のファイル名のファイルをボタン６１により、選択すると、電子書籍用の解像度の表示データが取得される。レイヤー名“検査”の行のファイル名のファイルをボタン６１により、選択すると、検査用の低解像度の表示データが取得される。
【００６０】
このように、ファイル生成装置１０は、同一のコンテンツの表示データから用途に応じて作成された複数の用途別の表示データを取得する用途別表示データ取得手段の一例として機能する。ファイル生成装置１０は、前記コンテンツの表示データの解像度と異なる解像度の前記用途別の表示データを取得する用途別表示データ取得手段の一例として機能する。ファイル生成装置１０は、前記用途が印刷である印刷用の表示データと、前記印刷に関する情報が記載された印刷情報用の表示データと、を取得する用途別表示データ取得手段の一例として機能する。
【００６１】
次に、ファイル生成装置１０は、レイヤー順位を設定する（ステップＳ１１）。例えば、図１１に示すように、ボタン６２により、所望のレイヤーの順位に設定して、制御部１６が入力情報を受け付ける。なお、制御部１６が、関連する用途別の各表示データを取得して、自動的にデフォルトで、レイヤー順位を設定してもよい。例えば、下版用、アクセサリ用、電子書籍用、検査用と予めデフォルトの優先順が決まっていて記憶部１２に記憶されていて、制御部１６が、デフォルトのレイヤー順位を記憶部１２から読み出し、この順序で画面６０に表示してもよい。
【００６２】
このように、ファイル生成装置１０は、各前記用途別の表示データに対して階層化するための階層順位を設定する階層順位設定手段の一例として機能する。
【００６３】
次に、ファイル生成装置１０は、出力ファイル名と出力先を設定する（ステップＳ１２）。例えば、制御部１６は、出力先フォルダの入力、出力ファイル名の入力を受け付け、ボタン６３の入力を受け付けて、出力ファイル名と出力先を設定する。
【００６４】
なお、制御部１６は、元のファイル名から、自動で、出力ファイル名を生成してもよい。出力先も予め決められていてもよい。
【００６５】
次に、ファイル生成装置１０は、レイヤー化したファイルを生成する（ステップＳ１３）。具体的には、制御部１６は、設定されたレイヤー順位に従い、各用途別の表示データにレイヤーを割り当て、１つのファイルにまとめたファイルを生成する。例えば、ＰＤＦのレイヤー機能を利用して、制御部１６が、各用途別の表示データから、設定されたレイヤー順位に従ったレイヤー構造のファイルを生成する。
【００６６】
制御部１６は、各レイヤー名として、用途別に関連する名称、用途別の表示データのファイル名に関連する名称を生成してもよい。レイヤー名が選択しやすくなり、用途別の表示データを、より扱いやすくなる。また、制御部１６が、レイヤー化されたファイルの構造として、例えば、ファイルのヘッダファイルに、レイヤー順位の情報を付加してもよい。
【００６７】
次に、ファイル生成装置１０は、生成されたファイルを出力する（ステップＳ１４）。具体的には、制御部１６は、ステップＳ１２で設定された出力先に、設定された出力ファイル名で、生成されたレイヤー化したファイルを記憶する。
【００６８】
レイヤー化したファイルは読み出され、レイヤー毎に表示して、利用される。例えば、刷版・印刷サーバ装置３０での作業において、検査用のレイヤーが選択され表示されて、対象が間違っていないかが検査される。また、アクセサリ用のレイヤーが選択され表示されて、ページ数、大きさ、印刷の向き等が確認される。トリミング用のレイヤーが選択され表示されて、仕上がり後のイメージが確認される。
【００６９】
レイヤー化したファイルを表示するアプリケーションにより、通常は、最上位のレイヤーの表示データが表示される。アプリケーションにより、レイヤーを選択して、各用途別の表示データを閲覧できる。アプリケーションで開く際に、特定のレイヤーの表示データが、表示されるようになっていてもよい。
【００７０】
電子書籍サーバ装置４０の作業においては、検査用のレイヤーが選択され表示されて対象が間違っていないかが検査されたり、電子書籍用のレイヤーが選択され表示されて、表示イメージが確認されたりする。
【００７１】
なお、用途別の表示データの出力の動作例と、レイヤー化されたファイルの出力の動作例とを、一連の動作として、レイヤー化されたファイルが生成されてもよい。例えば、図５の画面５０に、画面６０の機能を盛り込み、レイヤーの順位の選択欄、出力先の指定欄を設けてもよい。また、制御部１６が、同一のコンテンツの一例である組版作業で作成された表示データを取得したら、自動で、用途別の表示データを生成して、レイヤー化されたファイルを生成してもよい。
【００７２】
以上、本実施形態によれば、組版作業で作成された表示データ等の同一のコンテンツから用途別に生成された表示データが、階層化されたファイルとして１つにまとまっているので、散逸することなく、階層を指定するだけで、用途別の表示データを扱えるので、作業効率が向上する。また、１つのファイルになるので管理しやすくなる。
【００７３】
また、コンテンツの表示データの解像度と異なる解像度の用途別の表示データを取得する場合、用途が電子書籍用または検査用等の解像度の表示データを含む階層化したファイルが生成されるので、１つのファイルで、製版工程、刷版工程、電子書籍の作成の工程等において、検査用、電子書籍用等の用途に応じて、階層を選択するだけで、作業ができるので、作業効率が向上する。
【００７４】
また、用途が印刷である印刷用の表示データと、印刷に関する情報が記載された印刷情報用の表示データと、を取得する場合、ページ数、印刷の向き、印刷のサイズといった印刷情報用の表示データを含む階層化したファイルが生成されるので、１つのファイルで、製版工程、刷版工程、電子書籍の作成の工程等において、検査用の階層を選択するだけで、作業ができるので、作業効率が向上する。
【００７５】
また、同一のコンテンツの表示データから、用途に応じて複数の用途別の表示データを作成する場合、一度に複数の用途別の表示データを生成することができるので、作業効率が向上する。また、生成される用途別の表示データのファイル名を、統一的に表示データを生成するようにしてもよい。
【００７６】
また、同一のコンテンツの表示データから用途別の表示データへの、各用途に応じた変換の仕様に基づき、用途に応じて複数の用途別の表示データを作成する場合、各用途に応じた変換の仕様に基づき、一度に複数の用途別の表示データを生成することができる。用途に応じた変換の仕様がデフォルト値で表示される場合、作業者が、デフォルト値を確認しながら、変更の必要がある項目だけ変えればよいので、作業効率が向上する。
【符号の説明】
【００７７】
１：ファイル生成システム
１０：ファイル生成装置
１２：記憶部
１６：制御部
５０、６０：画面
【図１】
2019168946.tif 000003
【図２】
2019168946.tif 000004
【図３】
2019168946.tif 000005
【図４】
2019168946.tif 000006
【図５】
2019168946.tif 000007
【図６】
2019168946.tif 000008
【図７】
2019168946.tif 000009
【図８】
2019168946.tif 000010
【図９】
2019168946.tif 000011
【図１０】
2019168946.tif 000012
【図１１】
2019168946.tif 000013